(57)【要約】【課題】  本発明は、コンクリート打設用の型枠板として十分な機能を発揮することは勿論、断熱板２と内外装下地材３を併用することで、内外装材取付けの工期短縮・コンクリート面からの剥離・断熱パネルの高重量による作業効率の低下等の、問題点を容易に解決できるマルチ型枠パネル１を提供する。【解決手段】  本発明は、打設されたコンクリートに断熱板２と内外装下地材３を一体化できるコンクリート壁を形成するものである。施工方法としては、コンクリート打設面に断熱板２を取付け、該型枠パネル１せき板表面に、複数配置した縦溝４に内外装下地材３を係合する構成としたので、コンクリート硬化後、内外装下地材３に固着受材８を挿入して内外装材を取付けることを特徴とする。【選択図】  図１
2006104935.tif 000002
【特許請求の範囲】
【請求項１】
コンクリート打設用の型枠板で、打設されたコンクリートに断熱板と内外装下地材を一体化できるコンクリート壁を形成するものであって、型枠パネルせき板表面に、複数配置した縦溝に内外装下地材を係合できる構成とした、それに固着受材を挿入して内外装材を取付ける、また壁面等に不陸を生じた場合、内外装下地材を固定しているナットを緩め、断熱板との間にパッキン類を挿入し調整できることを特徴とするマルチ型枠パネル。
【発明の詳細な説明】
【技術分野】
【０００１】  本発明は、コンクリート打設の際に型枠板として使用され、コンクリート硬化後に、コンクリートに固定された断熱板と内外装下地材が一体化し、取扱いも簡単なマルチ型枠パネルに関する。
【背景技術】
【０００２】  近来、建造物の省エネルギー対策として、コンクリート壁の断熱施工法が普及している。この断熱施工法として合板の内面に、合成樹脂発泡体などからなる断熱ボードを予め釘止めした状態でコンクリートを打設し、コンクリート硬化後に合板のみを取外して、断熱コンクリート壁を形成する。その後内装下地材を組立て、内装材を取付けるのが一般的に知られている。【０００３】  また、軟質面材と合成樹脂発泡体との組合せによる型枠板として機能するパネルも提案されているが、このパネルは、内装下地を兼ねるものではない。しかしながら上記の不都合を解決すべく、硬質合成樹脂フォームからなる断熱層と、該断熱層の表面に合板や石膏ボード等により積層された内装下地板を兼用できる断熱パネルも提案されている。【０００４】  しかし、これらの断熱パネルは、型枠板として価格的に高価であり経済的負担が大きい。また、該断熱パネルは、打ち込まれたコンクリート面に接触し硬化後に接合されているが確実に固定されている訳ではない。従って、コンクリート壁面から剥離する可能性もある。さらに、重量が嵩む関係で現場組立・加工・搬入等による作業性の効率に難点がある。
【発明の開示】
【発明が解決しようとする課題】
【０００５】  よって本発明の目的は、コンクリート打設用の型枠板として十分な機能を発揮することは勿論、断熱板と内外装下地材を併用することで、内外装材取付けの工期短縮・コンクリート面からの剥離・断熱パネルの高重量による作業効率の低下等の問題点を、容易に解決できるマルチ型枠パネルを提供することにある。
【課題を解決するための手段】
【０００６】  本発明のマルチ型枠パネル１は、コンクリート打設用の型枠板として使用され、打設されたコンクリートに断熱板２と内外装下地材３を一体化できるコンクリート壁を形成するものである。施工方法としては、コンクリート打設面に断熱板２を取付ける。次に、該型枠パネル１せき板表面に、複数配置した縦溝４に内外装下地材３を係合する構成としたので、コンクリート硬化後、内外装下地材３に固着受材８を挿入して内外装材を取付けることを特徴とする。【０００７】  また、コンクリート硬化後、壁面等に不陸を生じた場合、内外装下地材３を固定しているセパレータを介在したナット１１を緩め、断熱板２と内外装下地材３との間に適当なパッキン類を挿入し調整できることを特徴とする。
【発明の効果】
【０００８】  以上の説明のように本発明は、断熱板２と内外装下地材３を併用し、該型枠パネル１のせき板の表面に、複数配置した縦溝４に内外装下地材３を係合できる構成としたので、強度的に補強部材として機能させることができる。従って、断熱板２と内外装下地材３の相乗効果により曲げ強度を高め、コンクリート打設時の側圧にも十分に耐え、型枠板として十分な機能を発揮することができる。【０００９】  また、内外装下地材３はコンクリートとセパレータを介在し、ナット１１で固定され確実に一体化されている。従って、コンクリート壁面から剥離することがなく、従来品の内外装下地材３とは比較にならない、優れた機能を発揮することができる。【００１０】  さらに、コンクリート硬化後に確実に固定された内外装下地材３に、型枠支保工解体後に軽量で作業性の容易な固着受材８を挿入し、内外装材を締結材１２で取付けることで工期短縮を達成できる。【００１１】  この方式としたことで、断熱板２と内外装材の間に中空層となる空隙部分が生ずる。この部分は通気層として結露・遮音等の防止が期待でき、さらに、配管・配線スペースとして利用できる。
【発明を実施するための最良の形態】
【００１２】  以下、本発明の実施の形態について説明する。
この該型枠パネル１は図１のような形状でせき板の厚さ１２ｍｍ、長さ３ｍ、幅６００ｍｍ位とし、また、表面中央部にある複数の縦溝４の間隔３００ｍｍ位、内外装下地材３は厚さ１，２ｍｍ、幅４５ｍｍ、長さ３ｍ位とする。外枠５・桟木６・固定受材８等を含む上記の寸法に関しては、特別限定するものではない。【００１３】  図１と図２で示すこの該型枠パネル１は、断熱板２をコンクリート打設面に設置し、次に、せき板部分に複数配置した縦溝４に内外装下地材３を係合できる構成としたので、双方の相乗効果でコンクリート側圧に対し、強度的に補強部材として機能させることができる。さらに、両側縁には型枠板を連結できる外枠５を配置した。また、裏面のせき板部の中間部分には、一定間隔からなる複数の桟木６と縦溝４による補強桟木７を配置して構成されている。【００１４】  次に、該型枠パネル１には、図１に示すようにフォームタイ取付け孔９を一定間隔で縦溝４に複数設ける。また、内外装下地材３にも同様にセパレータ取付け孔１０を一定間隔に複数設け、セパレータを介在して縦溝４に係合した状態でナット１１を固定する。コンクリート硬化後に型枠支保工を解体し、固着受材８を挿入し締結材１２で内外装材を取付ける。【００１５】  本発明の該型枠パネル１は、外枠５・桟木６・縦溝４による補強桟木７等を、断熱板２と内外装下地材３を配置したことの相乗効果により、せき板の曲げ強度を高めるので縦端太材として兼用できる。従って、横端太材を配置しセパレータをフォームタイで締付けることで、コンクリートの側圧に耐えるような構成としてある。【００１６】  また、本発明の該型枠パネル１は、コンクリート打設面の両側に使用できる構成である。さらに、使用用途により各種類からなる従来品の型枠板を、片側に併用することも可能である。【００１７】  また、本発明の該型枠パネル１・内外装下地材３・固着受材８の素材に関しては、鋼製・プラスチック系が望ましいが、施工上の簡素化・再使用の転用回数・重量の軽減化等に好適な条件を満たす素材であれば、形状と共に特別限定するものではない。
【図面の簡単な説明】
【００１８】
【図１】  本発明の斜視図である。
【図２】  本発明の平面詳細図である。
【図３】  本発明の他の例を示す平面詳細図である。
【図４】  本発明の内外装下地材の要部分解詳細図である。
【図５】  本発明の内外装下地材の斜視図である。
【図６】  本発明の固着受材の斜視図である。
【符号の説明】
【００１９】  １    マルチ型枠パネル
２    断熱板
３    内外装下地材
４    縦溝
５    外枠
６    桟木
７    補強桟木
８    固着受材
９    フォームタイ取付け孔
１０  セパレータ取付け孔
１１  ナット
１２  締結材（くぎ・ビス類）
【図１】
2006104935.tif 000003
【図２】
2006104935.tif 000004
【図３】
2006104935.tif 000005
【図４】
2006104935.tif 000006
【図５】
2006104935.tif 000007
【図６】
2006104935.tif 000008